【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
伝送信号の立下り及び／或は立上がりを強調する信号処理を行う信号処理手段と、
前記伝送信号の立下り及び／或は立上がり数を計数する計数手段と、
前記信号処理手段により立下り及び／或は立上がりを強調する信号処理がされた信号を伝送するか否かを、前記計数手段により計数された計数値に応じて選択する選択手段と、
を有することを特徴とする通信装置。
【請求項２】
前記選択手段は、前記計数手段による計数値が所定値よりも大きい場合に、前記信号処理手段により信号処理された伝送信号を送信し、それ以外では前記信号処理手段により信号処理されていない伝送信号を送信することを特徴とする請求項１に記載の通信装置。
【請求項３】
伝送信号の立下り及び／或は立上がりを、設定レベルに応じて強調する信号処理を行う信号処理手段と、
前記伝送信号の立下り及び／或は立上がり数を計数する計数手段と、
前記信号処理手段により立下り及び／或は立上がりを強調する信号処理する前記設定レベルを、前記計数手段により計数された計数値に応じて変更する切り替え手段と、
を有することを特徴とする通信装置。
【請求項４】
前記切り替え手段は、前記計数手段による計数値が所定値よりも大きい場合に、前記設定レベルを高く設定し、それ以外では前記設定レベルを低く設定することを特徴とする請求項３に記載の通信装置。
【請求項５】
画像信号の下位ビットの立下り及び／或は立上がりを強調する信号処理を行う信号処理手段と、
前記信号処理手段により立下り及び／或は立上がりを強調する信号処理がされた前記下位ビットのビット信号と、前記画像信号の前記下位ビット以外のビット信号とを伝送する伝送手段と、
を有することを特徴とする通信装置。
【請求項６】
画像信号の立下り及び／或は立上がりを強調する信号処理を行う信号処理手段と、
前記画像信号の特性を判定する判定手段と、
前記信号処理手段により立下り及び／或は立上がりを強調する信号処理がされた信号を伝送するか否かを、前記画像信号の色成分ごとに、前記判定手段により判定された前記特性に応じて選択する選択手段と、
を有することを特徴とする通信装置。
【請求項７】
画像信号の立下り及び／或は立上がりを、設定レベルに応じて強調する信号処理を行う信号処理手段と、
前記画像信号の特性を判定する判定手段と、
前記信号処理手段により立下り及び／或は立上がりを強調する信号処理の前記設定レベルを、前記画像信号の色成分ごとに、前記判定手段により判定された前記特性に応じて変更する切り替え手段と、
を有することを特徴とする通信装置。
【請求項８】
伝送路を介して伝送信号を送信する通信装置の制御方法であって、
伝送信号の立下り及び／或は立上がり数を計数する計数工程と、
伝送信号の立下り及び／或は立上がりを強調する信号処理を行って伝送するか否かを、前記計数工程で計数された計数値に応じて選択する選択工程と、
を有することを特徴とする通信装置の制御方法。
【請求項９】
前記選択工程では、前記計数工程で計数した計数値が所定値よりも大きい場合に、前記信号処理された伝送信号を送信し、それ以外では前記信号処理されていない伝送信号を送信することを特徴とする請求項８に記載の通信装置の制御方法。
【請求項１０】
伝送路を介して伝送信号を送信する通信装置の制御方法であって、
伝送信号の立下り及び／或は立上がりを、設定レベルに応じて強調する信号処理を行う信号処理工程と、
伝送信号の立下り及び／或は立上がり数を計数する計数工程と、
前記信号処理工程で立下り及び／或は立上がりを強調する信号処理の前記設定レベルを、前記計数工程で計数された計数値に応じて変更する切り替え工程と、
を有することを特徴とする通信装置の制御方法。
【請求項１１】
前記切り替え工程では、前記計数工程で計数された計数値が所定値よりも大きい場合に、前記設定レベルを高く設定し、それ以外では前記設定レベルを低く設定することを特徴とする請求項１０に記載の通信装置の制御方法。
【請求項１２】
伝送路を介して伝送信号を送信する通信装置の制御方法であって、
画像信号の下位ビットの立下り及び／或は立上がりを強調する信号処理を行う信号処理工程と、
前記信号処理工程で立下り及び／或は立上がりを強調する信号処理がされた前記下位ビットのビット信号と、前記画像信号の前記下位ビット以外のビット信号とを伝送する伝送工程と、
を有することを特徴とする通信装置の制御方法。
【請求項１３】
伝送路を介して画像信号を送信する通信装置の制御方法であって、
画像信号の立下り及び／或は立上がりを強調する信号処理を行う信号処理工程と、
前記画像信号の特性を判定する判定工程と、
前記立下り及び／或は立上がりを強調する信号処理がされた信号を伝送するか否かを、前記画像信号の色成分ごとに、前記判定工程で判定された前記特性に応じて選択する選択工程と、
を有することを特徴とする通信装置の制御方法。
【請求項１４】
伝送路を介して画像信号を送信する通信装置の制御方法であって、
画像信号の立下り及び／或は立上がりを、設定レベルに応じて強調する信号処理を行う信号処理工程と、
前記画像信号の特性を判定する判定工程と、
前記信号処理工程で立下り及び／或は立上がりを強調する信号処理の前記設定レベルを、前記画像信号の色成分ごとに、前記判定工程で判定された前記特性に応じて変更する切り替え工程と、
を有することを特徴とする通信装置の制御方法。
【手続補正２】
【補正対象書類名】明細書
【補正対象項目名】００１０
【補正方法】変更
【補正の内容】
【００１０】
上記特徴は、独立クレームに記載の特徴の組み合わせにより達成され、従属項は発明の更なる有利な具体例を規定するものである。
【手続補正３】
【補正対象書類名】明細書
【補正対象項目名】００１１
【補正方法】変更
【補正の内容】
【００１１】
本願発明の一態様に係る通信装置は以下のような構成を備える。即ち、
伝送信号の立下り及び／或は立上がりを強調する信号処理を行う信号処理手段と、
前記伝送信号の立下り及び／或は立上がり数を計数する計数手段と、
前記信号処理手段により立下り及び／或は立上がりを強調する信号処理がされた信号を伝送するか否かを、前記計数手段により計数された計数値に応じて選択する選択手段と、
を有することを特徴とする。
【手続補正４】
【補正対象書類名】明細書
【補正対象項目名】００１２
【補正方法】変更
【補正の内容】
【００１２】
本願発明の一態様に係る通信装置は以下のような構成を備える。即ち、
画像信号の下位ビットの立下り及び／或は立上がりを強調する信号処理を行う信号処理手段と、
前記信号処理手段により立下り及び／或は立上がりを強調する信号処理がされた前記下位ビットのビット信号と、前記画像信号の前記下位ビット以外のビット信号とを伝送する伝送手段とを有することを特徴とする。
【手続補正５】
【補正対象書類名】明細書
【補正対象項目名】００１３
【補正方法】変更
【補正の内容】
【００１３】
本願発明の一態様に係る通信装置は以下のような構成を備える。即ち、
画像信号の立下り及び／或は立上がりを強調する信号処理を行う信号処理手段と、
前記画像信号の特性を判定する判定手段と、
前記信号処理手段により立下り及び／或は立上がりを強調する信号処理がされた信号を伝送するか否かを、前記画像信号の色成分ごとに、前記判定手段で判定された前記特性に応じて選択する選択手段と、
を有することを特徴とする。
【手続補正６】
【補正対象書類名】明細書
【補正対象項目名】００１４
【補正方法】変更
【補正の内容】
【００１４】
本願発明の一態様に係る通信装置の制御方法は以下のような工程を備える。即ち、
伝送路を介して伝送信号を送信する通信装置の制御方法であって、
伝送信号の立下り及び／或は立上がり数を計数する計数工程と、
伝送信号の立下り及び／或は立上がりを強調する信号処理を行って伝送するか否かを、前記計数工程で計数された計数値に応じて選択する選択工程と、
を有することを特徴とする。
【手続補正７】
【補正対象書類名】明細書
【補正対象項目名】００１５
【補正方法】変更
【補正の内容】
【００１５】
本願発明の一態様に係る通信装置の制御方法は以下のような工程を備える。即ち、
伝送路を介して伝送信号を送信する通信装置の制御方法であって、
画像信号の下位ビットの立下り及び／或は立上がりを強調する信号処理を行う信号処理工程と、
前記信号処理工程で立下り及び／或は立上がりを強調する信号処理がされた前記下位ビットのビット信号と、前記画像信号の前記下位ビット以外のビット信号とを伝送する伝送工程とを有することを特徴とする。
【手続補正８】
【補正対象書類名】明細書
【補正対象項目名】００１６
【補正方法】変更
【補正の内容】
【００１６】
本願発明の一態様に係る通信装置の制御方法は以下のような工程を備える。即ち、
伝送路を介して画像信号を送信する通信装置の制御方法であって、
画像信号の立下り及び／或は立上がりを強調する信号処理を行う信号処理工程と、
前記画像信号の特性を判定する判定工程と、
前記立下り及び／或は立上がりを強調する信号処理がされた信号を伝送するか否かを、前記画像信号の色成分ごとに、前記判定工程で判定された前記特性に応じて選択する選択工程とを有することを特徴とする。